(57)【要約】【課題】操作者にとって面倒な操作負担を増加させることなく、特定の値や特定の範囲に含まれる印字数字を強調する。【解決手段】操作端末２のＣＰＵ１２は、印刷処理プログラムが実行されると、所定の規則性に沿ってインクリメント可能な印字数字のインクリメント態様の設定を受け付け、印字ラベルＬにおいて強調する印字数字の特定の数値条件の設定を受け付け、インクリメントされた印字数字を含む印字オブジェクトがそれぞれ形成された複数の印字ラベルＬを生成する印字データを生成し、その際、印字オブジェクトに含まれる印字数字が上記数値条件を満たす場合、上記数値条件を満たす印字数字に対し所定の強調処理を施す印字データを生成する。【選択図】図３
2018089878.tif 000002
【特許請求の範囲】
【請求項１】
第１被印字媒体を搬送させるための第１搬送手段と、前記第１搬送手段により搬送される前記第１被印字媒体に対し、所望の印字オブジェクトの印字を行う第１印字手段と、を有し、前記印字オブジェクトがそれぞれ前記第１被印字媒体に形成された複数の第１印刷物を、前記第１搬送手段の搬送方向に沿った所定の順序で連続的に作成する印刷装置に接続された、操作端末の演算手段に対し、
前記印字オブジェクトに含まれ、所定の規則性に沿ってインクリメント可能な印字数字の、インクリメント態様の設定操作を受け付ける、インクリメント態様受付手順と、
前記第１印刷物において強調する前記印字数字の、特定の数値条件の設定を受け付ける条件受付手順と、
前記複数の第１印刷物それぞれの作成時において、対応する前記印字オブジェクトに含まれる前記印字数字が、前記条件受付手順で受け付けられた前記数値条件を満たすか否かを判定する判定手順と、
前記インクリメント態様受付手順での受け付け結果に応じてインクリメントされた前記印字数字を含む前記印字オブジェクトがそれぞれ形成された、複数の前記第１印刷物を生成するための印字データを生成し、前記印刷装置へ出力するデータ出力手順と、
を実行させ、
前記データ出力手順では、
前記判定手順で前記印字オブジェクトに含まれる前記印字数字が前記数値条件を満たすと判定された場合には、作成される前記第１印刷物において前記数値条件を満たす印字数字に対し所定の強調処理を施すための前記印字データを生成する
ことを特徴とする印刷処理プログラム。
【請求項２】
請求項１記載の印刷処理プログラムにおいて、
前記印刷装置の前記第１印字手段は、
第１色及び前記第１色と異なる第２色を含む複数色での発色によって印字を形成可能であり、
前記データ出力手順では、
前記判定手順で前記印字オブジェクトに含まれる前記印字数字が前記数値条件を満たすと判定された場合には、作成される前記第１印刷物において少なくとも前記数値条件を満たす数字を前記強調処理として前記第２色での発色により形成し、当該第２色以外の部分を前記第１色での発色により形成するための、前記印字データを生成する
ことを特徴とする印刷処理プログラム。
【請求項３】
請求項１又は請求項２記載の印刷処理プログラムにおいて、
前記データ出力手順では、
前記判定手順で前記印字オブジェクトに含まれる前記印字数字が前記数値条件を満たすと判定された場合には、作成される前記第１印刷物において少なくとも前記数値条件を満たす数字に対し、前記強調処理として、他の部分とは異なる、フォント種類、若しくは、フォントスタイル、若しくは、フォントサイズ、若しくは、装飾、を適用して形成するための、前記印字データを生成する
ことを特徴とする印刷処理プログラム。
【請求項４】
第２被印字媒体を搬送させるための第２搬送手段と、
前記第２搬送手段により搬送される前記第２被印字媒体に対し、所望の文字列を含む印字を形成する第２印字手段と、
印刷指示を契機に前記第２搬送手段及び前記第２印字手段を連携して制御し、前記文字列が形成された第２印刷物を作成する制御手段と、
を有する印刷物作成装置であって、
前記第２印刷物において強調する文字列の、特定の数値条件を設定する条件設定手段と、
前記印刷指示による前記第２印刷物の作成時において、前記第２印字手段により形成される前記文字列に、前記条件設定手段により設定された前記数値条件を満たす数字が含まれるか否かを判定する判定手段と、
を有し、
前記制御手段は、
前記判定手段により、前記第２印字手段により形成される前記文字列に前記数値条件を満たす数字が含まれると判定された場合には、前記第２搬送手段及び前記第２印字手段を連携して制御し、作成される前記第２印刷物において、前記数値条件を満たす数字に対し、所定の強調処理を施す
ことを特徴とする印刷物作成装置。
【請求項５】
請求項４記載の印刷物作成装置において、
前記第２印字手段は、
第１色及び前記第１色と異なる第２色を含む複数色での発色によって印字を形成可能であり、
前記制御手段は、
前記判定手段により、前記第２印字手段により形成される前記文字列に前記数値条件を満たす数字が含まれると判定された場合には、前記第２搬送手段及び前記第２印字手段を連携して制御し、作成される前記第２印刷物において、前記数値条件を満たす数字を前記強調処理として前記第２色での発色により形成し、当該第２色以外の部分を前記第１色での発色により形成する
ことを特徴とする印刷物作成装置。
【請求項６】
請求項４又は請求項５記載の印刷物作成装置において、
前記制御手段は、
前記判定手段により、前記第２印字手段により形成される前記文字列に前記数値条件を満たす数字が含まれると判定された場合には、前記第２搬送手段及び前記第２印字手段を連携して制御し、作成される前記第２印刷物において、前記数値条件を満たす数字に対し、前記強調処理として、他の部分とは異なる、フォント種類、若しくは、フォントスタイル、若しくは、フォントサイズ、若しくは、装飾、を適用して形成する
ことを特徴とする印刷物作成装置。
【請求項７】
請求項４乃至請求項６のいずれか１項記載の印刷物作成装置において、
少なくとも１つのテキストオブジェクトを含む複数の印字オブジェクトが所定の態様で割り付けられるとともに、少なくとも１つの文字列が、前記少なくとも１つのテキストオブジェクトにそれぞれ割り当てられる、テンプレートを記憶する記憶手段をさらに有し、
前記制御手段は、
前記印刷指示を契機に前記第２搬送手段及び前記第２印字手段を連携して制御し、前記少なくとも１つの文字列を、前記記憶手段に記憶された前記テンプレートの前記少なくとも１つのテキストオブジェクトに割り当てることで、対応した前記第２印刷物を作成し、かつ、
前記判定手段により、前記テンプレートに割り当てられる前記文字列に前記数値条件を満たす数字が含まれると判定された場合には、前記第２搬送手段及び前記第２印字手段を連携して制御し、前記第２印刷物において、前記数値条件を満たす数字に対し、所定の強調処理を施す
ことを特徴とする印刷物作成装置。
【発明の詳細な説明】
【技術分野】
【０００１】
本発明は、被印字媒体に所望の印字を行って印刷物を作成するための印刷処理プログラム及び印刷物作成装置に関する。
【背景技術】
【０００２】
被印字媒体に対し、いわゆるナンバリング印刷を行う技術が既に知られている（例えば、特許文献１参照）。この従来技術においては、搬送される被印字媒体（カバーフィルム）に対し、印字手段（サーマルヘッド）により印字オブジェクトの印字形成が行われ、それぞれに印字オブジェクトが備えられた複数の印刷物（印字ラベル）が連続的に作成される。
【０００３】
このとき、印字オブジェクトは、上記のように複数の印刷物が作成されるときに所定の規則性に沿ってインクリメント可能な、印字数字を含んでいる。操作者が上記インクリメントに関する設定（インクリメント間隔やインクリメント範囲等）を行うことで、その設定結果に応じてインクリメントされた印字数字を含む印字オブジェクトがそれぞれ形成された複数の印刷物が、作成される。
【先行技術文献】
【特許文献】
【０００４】
【特許文献１】特開２０１４−２３３９５８号公報
【発明の概要】
【発明が解決しようとする課題】
【０００５】
上記のようにしてインクリメントされる印字数字を含む印刷物を作成する際、印刷物中の上記印字数字が特定の値であったり特定の範囲に含まれる場合に限り、当該印字数字のみを他と区別して強調したい、というニーズがあり得る。また、印字数字のインクリメントを伴うナンバリング印刷以外の通常の印刷においても、上記同様、印刷物中の数字が特定条件を満たす場合に、当該数字を他と区別して強調したい、というニーズがあり得る。上記従来技術では、そのような点までは特に配慮されていなかった。
【０００６】
本発明の目的は、操作者にとって面倒な操作負担を増加させることなく、特定の値や特定の範囲に含まれる印字数字を強調できる、印刷処理プログラム及び印刷物作成装置を提供することにある。
【課題を解決するための手段】
【０００７】
上記目的を達成するために、本願発明は、第１被印字媒体を搬送させるための第１搬送手段と、前記第１搬送手段により搬送される前記第１被印字媒体に対し、所望の印字オブジェクトの印字を行う第１印字手段と、を有し、前記印字オブジェクトがそれぞれ前記第１被印字媒体に形成された複数の第１印刷物を、前記第１搬送手段の搬送方向に沿った所定の順序で連続的に作成する印刷装置に接続された、操作端末の演算手段に対し、前記印字オブジェクトに含まれ、所定の規則性に沿ってインクリメント可能な印字数字の、インクリメント態様の設定操作を受け付ける、インクリメント態様受付手順と、前記第１印刷物において強調する前記印字数字の、特定の数値条件の設定を受け付ける条件受付手順と、前記複数の第１印刷物それぞれの作成時において、対応する前記印字オブジェクトに含まれる前記印字数字が、前記条件受付手順で受け付けられた前記数値条件を満たすか否かを判定する判定手順と、前記インクリメント態様受付手順での受け付け結果に応じてインクリメントされた前記印字数字を含む前記印字オブジェクトがそれぞれ形成された、複数の前記第１印刷物を生成するための印字データを生成し、前記印刷装置へ出力するデータ出力手順と、を実行させ、前記データ出力手順では、前記判定手順で前記印字オブジェクトに含まれる前記印字数字が前記数値条件を満たすと判定された場合には、作成される前記第１印刷物において前記数値条件を満たす印字数字に対し所定の強調処理を施すための前記印字データを生成する印刷処理プログラムが提供される。
【０００８】
本願発明の印刷処理プログラムが実行される操作端末の操作対象となる、印刷装置においては、第１搬送手段により搬送される第１被印字媒体に対し、第１印字手段により印字オブジェクトの印字形成が行われ、それぞれに印字オブジェクト（文字列やバーコード等）が備えられた複数の第１印刷物が連続的に作成される。このとき、本願発明では、印字オブジェクトは、上記のように複数の第１印刷物が作成されるときに所定の規則性に沿ってインクリメント可能な、印字数字を含んでいる。
【０００９】
そして、本願発明では、操作者は、上記印字数字のインクリメントに関する設定を行うことができる。すなわち、本願発明の印刷処理プログラムが操作端末の演算手段により実行され、操作者が、上記印字数字をインクリメントするときのインクリメント態様、例えばインクリメントの間隔（例えば１つずつカウントアップする、等）、インクリメントの範囲（例えばどの数字からどの数字までカウントするか、等）等の設定操作を行うと、その設定操作が、インクリメント態様受付手順で受け付けられる。
【００１０】
その後、データ出力手順で、上記受け付け結果に応じてインクリメントされた印字数字を含む印字オブジェクトがそれぞれ形成された、複数の第１印刷物を生成するための印字データが生成され、印刷装置へと出力される。これにより、印刷装置において、第１搬送手段及び第１印字手段によって上記印字数字を含む印字オブジェクトが第１被印字媒体にそれぞれ形成されることで、複数の印刷物（第１印刷物）が作成される。
【００１１】
ここで、上記のように第１印刷物を作成する際、印刷物中の印字オブジェクトの印字数字が特定の値であったり特定の範囲に含まれる場合に限り、当該印字数字のみを他と区別して強調したい、というニーズがあり得る。一例としては、いわゆるナンバリング印刷において「Ｎｏ．１」「Ｎｏ．２」「Ｎｏ．３」「Ｎｏ．４」「Ｎｏ．５」「Ｎｏ．６」「Ｎｏ．７」「Ｎｏ．８」「Ｎｏ．９」「Ｎｏ．１０」という１０枚の印刷物をこの順序で作成する場合において、「Ｎｏ．２」のうちの２の数字部分、「Ｎｏ．３」のうちの３の数字部分、「Ｎｏ．８」のうちの８の数字部分、を強調したい場合、等がある。
【００１２】
そこで、本願発明においては、条件受付手順、判定手順が設けられる。まず条件受付手順で、上記のように作成される複数の第１印刷物において操作者が強調したい印字数字の特定の数値条件（上記の例では「２」「３」「８」）が受け付けられる。
【００１３】
その後、判定手順で、複数の第１印刷物それぞれの作成時に、各第１印刷物の印字オブジェクト中の上記印字数字が、上記条件受付手順で受け付けられた上記特定の数値条件を満たすか否かを判定する。
【００１４】
そして、上記数値条件を満たす場合、上記データ出力手順においては、その印字数字に対し、所定の強調処理、例えば、他とは異なる色、異なるフォント種類（明朝体・ゴシック体等）、異なるフォントスタイル（太字・斜字等）、異なるフォントサイズ、異なる装飾（下線・影付き等）、が施されるような、印字データを生成して印刷装置へと出力する。
【００１５】
これにより、上記の例では、上記特定の数値条件として「２」「３」「８」という条件を予め入力しておくだけで、（特にそれ以外の特別な操作や設定を行わなくても）、例えば「Ｎｏ．１」「Ｎｏ．２」「Ｎｏ．３」「Ｎｏ．４」「Ｎｏ．５」「Ｎｏ．６」「Ｎｏ．７」「Ｎｏ．８」「Ｎｏ．９」「Ｎｏ．１０」の１０枚の第１印刷物の作成時に、「２」だけが強調された（例えば赤色表記された、以下同様）印刷物「Ｎｏ．２」、「３」だけが強調された印刷物「Ｎｏ．３」、「８」だけが強調された印刷物「Ｎｏ．８」を作成することができる。すなわち、操作者にとって面倒な操作負担を増加させることなく、印刷物の表現の幅を容易に広げることができる。この結果、操作者にとっての利便性を向上することができる。
【００１６】
また上記目的を達成するために、本願発明は、第２被印字媒体を搬送させるための第２搬送手段と、前記第２搬送手段により搬送される前記第２被印字媒体に対し、所望の文字列を含む印字を形成する第２印字手段と、印刷指示を契機に前記第２搬送手段及び前記第２印字手段を連携して制御し、前記文字列が形成された第２印刷物を作成する制御手段と、を有する印刷物作成装置であって、前記第２印刷物において強調する文字列の、特定の数値条件を設定する条件設定手段と、前記印刷指示による前記第２印刷物の作成時において、前記第２印字手段により形成される前記文字列に、前記条件設定手段により設定された前記数値条件を満たす数字が含まれるか否かを判定する判定手段と、を有し、前記制御手段は、前記判定手段により、前記第２印字手段により形成される前記文字列に前記数値条件を満たす数字が含まれると判定された場合には、前記第２搬送手段及び前記第２印字手段を連携して制御し、作成される前記第２印刷物において、前記数値条件を満たす数字に対し、所定の強調処理を施すことを特徴とする。
【００１７】
本願発明においては、印刷指示が出ると、制御手段の制御に基づき、搬送手段及び印字手段によって所望の文字列が第２被印字媒体に形成され、印刷物（第２印刷物）が作成される。
【００１８】
ここで、上記のように第２印刷物を作成する際、印刷物中の文字列に数字が含まれる場合で、かつその数字が特定の値であったり特定の範囲に含まれる場合に限り、当該数字のみを他と区別して強調したい、というニーズがあり得る。一例としては、「○○％  ＯＦＦ」という値引き表記の値札を作成する場合の、○○の数字が、あるしきい値（例えば５０）以上である場合、等がある。
【００１９】
そこで、本願発明においてはまず、条件設定手段が設けられ、第２印刷物において強調する文字列の、特定の数値条件（上記の例では５０以上であること）が設定される。
【００２０】
そして、印刷時には、判定手段が、第２印刷物の作成時に第２印字手段によって形成される文字列に、上記設定手段により設定された上記特定の数値条件を満たす数字が含まれるか否かを判定する。そして、含まれている場合には、制御手段の制御によって、その数字に対し、所定の強調処理、例えば、他とは異なる色、異なるフォント種類（明朝体・ゴシック体等）、異なるフォントスタイル（太字・斜字等）、異なるフォントサイズ、異なる装飾（下線・影付き等）、を適用して印字が行われる。
【００２１】
これにより、上記の例では、上記特定の数値条件として「５０以上」という設定を予めしておくだけで、（特にそれ以外の特別な操作や設定を行わなくても）印刷実行時に、例えば「７０％  ＯＦＦ」のうち「７０」だけが強調された（例えば赤色表記された）値札を作成することができる。すなわち、操作者にとって面倒な操作負担を増加させることなく、印刷物の表現の幅を容易に広げることができる。この結果、操作者にとっての利便性を向上することができる。
【発明の効果】
【００２２】
本発明によれば、操作者にとって面倒な操作負担を増加させることなく、特定の値や特定の範囲に含まれる数字を強調して印刷を行うことができる。
【図面の簡単な説明】
【００２３】
【図１】本発明の一実施の形態に係わる印字ラベル作成システムの全体構成を模式的に表すシステム構成図である。
【図２】操作端末及びラベルプリンタの機能的構成を表す機能ブロック図である。
【図３】印字ラベルの作成例を表す説明図である。
【図４】操作端末上で印字データ編集アプリケーションを起動した際に表示部に表示される編集画面の例を示す説明図である。
【図５】操作端末の表示部に表示されるインクリメント指定画面の例を示す説明図である。
【図６】操作端末のＣＰＵが実行する制御手順を表すフローチャートである。
【図７】強調カウントで指定された印字オブジェクトの全体を赤色で印刷する変形例を表す説明図である。
【図８】強調カウントで指定された印字オブジェクトの印字数字をフォント種類、フォントスタイル、フォントサイズ等で強調処理した変形例を表す説明図である。
【図９】ナンバリング印刷とは無関係に、印字形成する文字列中の数字に対して強調表示の条件を設定する変形例における、操作端末及びラベルプリンタの機能的構成を表す機能ブロック図である。
【図１０】テンプレートの一例を表す説明図である。
【図１１】印字ラベルの作成例を表す説明図である。
【図１２】ラベルプリンタの制御回路が実行する制御手順を表すフローチャートである。
【図１３】ステップＳ２００の詳細手順を表すフローチャートである。
【発明を実施するための形態】
【００２４】
以下、本発明の一実施の形態を図面を参照しつつ説明する。
【００２５】
＜システム概略構成＞
まず、図１を参照しつつ、本実施形態に係わる印字ラベル作成システム１の全体構成を説明する。
【００２６】
図１に示すように、印字ラベル作成システム１は、操作端末２と、ラベルプリンタ３（本実施形態において印刷装置に相当）とを有している。操作端末２とラベルプリンタ３とは、例えばＵＳＢケーブル等の有線接続又は無線接続によって相互通信可能に接続されている。
【００２７】
操作端末２としては、操作者が操作可能な端末であれば特に限定されるものではなく、例えば、汎用ＰＣやタブレットＰＣ、ＰＤＡ、多機能携帯電話等が使用可能である。図１に示す例では、操作端末２として汎用ＰＣを使用した場合を示している。操作者は、操作端末２で印字ラベルＬ（本実施形態において第１印刷物に相当）に印刷する印字データを作成し、ラベルプリンタ３に送信する。
【００２８】
ラベルプリンタ３は、操作端末２との間で各種の情報と指示信号を送受し、操作端末２から送信された所望の文字や図形などを含む印字データに基づき、所定の印刷が施された上記印字ラベルＬを作成する。
【００２９】
＜操作端末及びラベルプリンタの詳細＞
操作端末２及びラベルプリンタ３の詳細機能を、図２を用いて説明する。図２において、操作端末２は、ＣＰＵ１２（演算手段に相当）と、例えばＲＡＭやＲＯＭ等からなるメモリ１３と、操作者からの指示や情報が入力される、キーボードやマウス等からなる操作部１４と、各種情報やメッセージを表示する表示部１７と、例えばハードディスク装置からなり各種情報を記憶する記憶装置１６と、例えばＵＳＢなどの規格に準拠するインターフェース接続を介してラベルプリンタ３との情報信号の授受の制御を行う通信制御部１５とを備えている。
【００３０】
ＣＰＵ１２は、図示しないＲＡＭの一時記憶機能を利用しつつＲＯＭ又は記憶装置１６に予め記憶されたプログラム（後述の図６のフローチャートの各手順を実行する、本実施形態の印刷処理プログラムを含む）に従って信号処理を行うことで、操作端末２全体の制御を行う。例えば、ＣＰＵ１２は、上記信号処理により、通信制御部１５を介してラベルプリンタ３との間で各種情報・指示信号の送受を行う。
【００３１】
ラベルプリンタ３は、本実施形態の印刷処理プログラムが実行される上記操作端末２の操作対象である。ラベルプリンタ３は、テープロールホルダ部２１０と、搬送装置２０９（本実施形態において第１搬送手段に相当）と、サーマルヘッド２０５（本実施形態において第１印字手段に相当）と、カッタ２０７と、制御回路２０２と、各種操作が可能な操作部２０６と、各種表示を行う表示部２１１と、操作端末２との間での各種情報・指示信号の授受の制御を行う通信制御部２０８とを有する。
【００３２】
テープロールホルダ部２１０は、テープ２０３（第１被印字媒体に相当）を巻回した（本来は渦巻き状であるが簡略化して同心円で図示する）テープロール２０４を着脱可能（又はテープロール２０４を備えたカートリッジを着脱可能）に設けられている。
【００３３】
搬送装置２０９は、テープロール２０４に巻回されたテープ２０３を搬送する。
【００３４】
サーマルヘッド２０５は、搬送装置２０９に対向して設けられ、搬送装置２０９によりテープロール２０４から繰り出されて搬送されるテープ２０３に対し所望の印字を行う。このとき、サーマルヘッド２０５は、テープ２０３に対し、複数色を用いた印字形成が可能なサーマルヘッドである。すなわち、テープ２０３は、複数色の発色可能に（この例では受熱量に応じて発色の色が変化するように）構成されている。例えば、テープ２０３は、比較的高温まで加熱された場合には赤色（第２色の一例に相当。赤色以外でもよい）で発色し、比較的低温にて加熱された場合には黒色（第１色の一例に相当。黒色以外でもよい）で発色する。そして、サーマルヘッド２０５は、備えられた発熱素子（図示省略）への通電が可変に制御されることで、赤色発色による印字形成、及び、黒色発色による印字形成を選択的に実行することができる（詳細は後述）。
【００３５】
カッタ２０７は、印字の終了したテープ２０３を所定の長さに切断することで、上記印字ラベルＬとする。
【００３６】
制御回路２０２は、図示しないＲＡＭの一時記憶機能を利用しつつ図示しないＲＯＭに予め記憶されたプログラム（後述の変形例では、図１３のフローチャートに示す各手順を実行するラベル作成処理プログラムを含む）に従って信号処理を行うことで、ラベルプリンタ３全体の制御を行う。また、制御回路２０２は、通信制御部２０８を介して操作端末２との間で各種情報・指示信号の送受を行う。
【００３７】
＜システムの概略動作＞
上記構成の印字ラベル作成システム１においては、操作者による操作部１４の操作に基づき、操作端末２が、複数の印字ラベルＬを生成するための印字データを生成し、ラベルプリンタ３へ出力する。ラベルプリンタ３は、搬送装置２０９により搬送されるテープ２０３に対し、サーマルヘッド２０５により印字オブジェクトの印字形成を行う。これにより、それぞれに印字オブジェクト（文字列やバーコード等）が備えられた複数の印字ラベルＬが連続的に作成される。
【００３８】
＜ナンバリング印刷＞
ここで、本実施形態では、上記印字オブジェクトは、複数の印字ラベルＬが作成されるときに所定の規則性に沿ってインクリメント可能な印字数字を含んでいる。すなわち、ラベルプリンタ３は、インクリメントされた上記印字数字を含む印字オブジェクトがそれぞれ印字形成された、複数の印字ラベルＬを順次作成す（いわゆるナンバリング印刷）。すなわち、例えば図３に示す例では、印字オブジェクトとしての文字列「Ｎｏ．１」「Ｎｏ．２」「Ｎｏ．３」「Ｎｏ．４」「Ｎｏ．５」「Ｎｏ．６」「Ｎｏ．７」「Ｎｏ．８」「Ｎｏ．９」「Ｎｏ．１０」がそれぞれ形成された印字ラベルＬ（以下適宜、単に、「Ｎｏ．１」の印字ラベルＬ等と称する）が上記搬送装置２０９の搬送方向に沿って順次生成される。この例では、「Ｎｏ．１」〜「Ｎｏ．１０」の印字ラベルＬにおける、「Ｎｏ．」を除く「１」〜「１０」の文字列が上記印字数字であり、「１」→「２」→「３」→「４」→「５」→「６」→「７」→「８」→「９」→「１０」のように、１〜１０の範囲で１ずつ（＝インクリメント間隔が１。所定の規則性の一例に相当）インクリメントされている（このインクリメント態様の設定、及び、図３に示す黒色・赤色の印刷色については後述）。
【００３９】
＜本実施形態の特徴＞
ここで、上記のように印字ラベルＬを作成する際、前述のようにインクリメントされる、印字ラベルＬ中の印字オブジェクトの印字数字（上記の例では「１」〜「１０」）が、特定の値であったり特定の範囲に含まれる場合に限り、当該印字数字のみを他と区別して強調したい、というニーズがあり得る。例えば、上記「Ｎｏ．１」「Ｎｏ．２」「Ｎｏ．３」「Ｎｏ．４」「Ｎｏ．５」「Ｎｏ．６」「Ｎｏ．７」「Ｎｏ．８」「Ｎｏ．９」「Ｎｏ．１０」の１０枚の印字ラベルＬのナンバリング印刷において、「Ｎｏ．２」のうちの２の数字部分、「Ｎｏ．３」のうちの３の数字部分、「Ｎｏ．８」のうちの８の数字部分、を強調したい場合、等がある。本実施形態は、上記のような、一部の印字数字を強調するニーズに対応するものである。以下、その詳細を順を追って説明する。
【００４０】
＜編集画面＞
本実施形態においては、まず、上記のように印字ラベルＬを作成する際に、操作者が強調したい印字数字の数値条件を指定する。すなわち、操作者が、操作端末２の操作部１４における適宜の操作により印字データ編集アプリケーションを起動すると、上記表示部１７に例えば図４に示す編集画面１１０が表示される。図示する例では、上記編集画面１１０は、上部に操作バー１１１を有するいわゆるＧＵＩ（Ｇｒａｐｈｉｃａｌ  Ｕｓｅｒ  Ｉｎｔｅｒｆａｃｅ）の形態の入力操作画面である。操作者が操作部１４の適宜の操作により操作バー１１１中のボックス１１１ａ，１１１ｂにおいてテープ長さ及びテープ幅（この例ではテープ長さ「５８ｍｍ」及びテープ幅「２９ｍｍ」）を設定し、さらに操作バー１１１の下方の入力画面１１２に文字列等の所望の印字オブジェクトを入力することで、入力画面１１２に印字オブジェクトの印字画像Ｒ１が表示される。
【００４１】
図４に示す例は、図３を用いて前述した例に対応しており、上記５８ｍｍ×２９ｍｍのラベル寸法（テープ長さ×テープ幅）であるラベル外形を表す枠線ＦＬ内に、テキスト「Ｎｏ．」が入力された状態を表している。このとき、上記枠線ＦＬ内には、例えば予め上記インクリメントされる印字数字のための指定枠ＦＮが、（上記テキストが入力されて行くにしたがい右側に移動するように）設定されている。この例では、上記指定枠ＦＮ内にはデフォルトで数字「１」が挿入されており、結果として全体で文字列「Ｎｏ．１」となった状態を表している。
【００４２】
＜インクリメント指定画面＞
その後、操作者が操作部１４の適宜の操作を行うことで、表示部１７に上記編集画面１１０に代えて（又は上記編集画面１１０中に割り込んで）例えば図５に示すインクリメント指定画面１２０が表示される。このインクリメント指定画面１２０には、インクリメント間隔（インクリメント態様の一例に相当）を設定するためのボックス１２１と、インクリメント範囲（インクリメント態様の一例に相当）を設定するためのボックス１２２ａ，１２２ｂと、強調する上記印字数字（特定の数値条件の一例に相当）を設定するための強調カウントボックス１２３と、印刷を指示する印刷ボタン１２４等が設けられている。
【００４３】
図示の例は、図３を用いて前述した例に対応しており、上記ボックス１２１に数字「１」が入力されることで、インクリメント間隔「１」が設定されている。また、上記ボックス１２２ａに数字「１」が入力されることでインクリメント開始の値が１に設定され（図４を用いて前述したようにこの「１」はデフォルトとして設定されていてもよい）、上記ボックス１２２ｂに数字「１０」が入力されることで、インクリメント終了の値が１０に設定され、これらの結果インクリメント範囲として１〜１０が指定されている。そして、本実施形態の最大の特徴である、一部の印字数字を強調するための、上記強調カウントボックス１２３には数字「２」「３」「８」が入力されることで、強調カウントとして２，３，８が指定されている。
【００４４】
その後、例えば操作者が操作部１４を介し「印刷」ボタン１２４を操作する（＝印刷指示）ことで、インクリメントされた印字数字を含む印字オブジェクトがそれぞれ形成された複数の印字ラベルＬ（上記の例では「Ｎｏ．１」「Ｎｏ．２」「Ｎｏ．３」「Ｎｏ．４」「Ｎｏ．５」「Ｎｏ．６」「Ｎｏ．７」「Ｎｏ．８」「Ｎｏ．９」「Ｎｏ．１０」の１０枚の印字ラベルＬ）を作成するための印字データが生成され、通信制御部１５を介してラベルプリンタ３へと出力される。本実施形態では、このとき生成される印字データが、サーマルヘッド２０５によるテープ２０３の加熱で発色する印字色を制御する加熱温度要素込みの印字データである。そして、上記強調カウントボックス１２３で指定された数字は、上記印字データにおいて比較的高温に加熱する（すなわち赤色で強調して印刷する）ように温度設定され、上記数字以外の部分は、上記印字データにおいて比較的低温に加熱する（すなわち強調することなく黒色にて印刷する）ように温度設定される。
【００４５】
＜印字ラベルの作成例＞
上記図３は、上記のようにして生成された印字データに基づきラベルプリンタ３が印字ラベルＬを生成した場合を示している。前述したように、この場合、「Ｎｏ．１」「Ｎｏ．２」「Ｎｏ．３」「Ｎｏ．４」「Ｎｏ．５」「Ｎｏ．６」「Ｎｏ．７」「Ｎｏ．８」「Ｎｏ．９」「Ｎｏ．１０」の１０枚の印字ラベルＬが生成される。その際、前述した強調カウントボックス１２３での強調カウント２，３，８の指定により、「Ｎｏ．２」の印字ラベルＬにおける数字「２」が赤色で印刷され、「Ｎｏ．３」の印字ラベルＬにおける数字「３」が赤色で印刷され、「Ｎｏ．８」の印字ラベルＬにおける数字「８」が赤色で印刷される。なお、これら３つの印字ラベルＬにおいて、上記数字以外の「Ｎｏ．」については通常通り黒色で印刷される。
【００４６】
また、上記「Ｎｏ．２」「Ｎｏ．３」「Ｎｏ．８」の印字ラベルＬ以外の、「Ｎｏ．１」「Ｎｏ．４」「Ｎｏ．５」「Ｎｏ．６」「Ｎｏ．７」「Ｎｏ．９」「Ｎｏ．１０」の印字ラベルＬは、印字オブジェクトの全体、すなわち「Ｎｏ．」の部分と「１」「４」「５」「６」「７」「９」「１０」部分とが、ともに黒色で印刷される。
【００４７】
以上の結果、「Ｎｏ．１」〜「Ｎｏ．１０」の１０枚の印字ラベルＬの作成時に、「２」だけが赤色表記で強調された印字ラベルＬ「Ｎｏ．２」、「３」だけが赤色表記で強調された印字ラベルＬ「Ｎｏ．３」、「８」だけが赤色表記で強調された印字ラベルＬ「Ｎｏ．８」が作成される。
【００４８】
＜制御手順＞
次に、上記手法を実現するために、前述したＲＯＭ（又は記憶装置１６）に記憶された印刷処理プログラムに基づき操作端末２のＣＰＵ１２が実行する制御手順を、図６を用いて説明する。
【００４９】
図６において、このフローに示す処理は、例えば操作端末２の電源がオンされることにより開始される。
【００５０】
まず、ステップＳ１０で、ＣＰＵ１２は、操作者が操作部１４を介し入力した、印字ラベルＬに形成する印字オブジェクトのテキスト部分（インクリメントされる印字数字以外の部分。上記の例では文字列「Ｎｏ．」）の内容を受け付けて取得する。
【００５１】
その後、ステップＳ２０で、ＣＰＵ１２は、操作者が操作部１４の操作を介して上記ボックス１２１，１２２ａ，１２２ｂにおいて入力した、上記印字オブジェクトに含まれる上記印字数字の、インクリメント態様を受け付けて取得する。上記の例では、インクリメント間隔「１」、インクリメント範囲「１〜１０」が取得される。なお、このステップＳ２０が各請求項記載のインクリメント態様受付手順に相当する。ステップＳ２０が終了すると、ステップＳ３０に移る。
【００５２】
ステップＳ３０では、ＣＰＵ１２は、操作者が操作部１４の操作を介して上記強調カウントボックス１２３において指定した、上記印字数字のうちの印字ラベルＬにおいて強調する特定の数値条件（上記の例では、２，３，８）を受け付けて取得する。なお、このステップＳ３０が各請求項記載の条件受付手順に相当する。ステップＳ３０が終了すると、ステップＳ４０に移る。
【００５３】
ステップＳ４０では、ＣＰＵ１２は、上記ステップＳ２０で取得したインクリメント態様でインクリメントされる印字数字の中に、上記ステップＳ３０で取得した特定の数値条件を満たす印字数字があるか否かを判定する。なお、このステップＳ４０が各請求項記載の判定手順に相当する。例えば上記の例では上記ステップＳ２０で取得した態様でインクリメントされる印字数字１，２，３，４，５，６，７，８，９，１０の中に、上記ステップＳ３０での特定の数値条件を満たす印字数字２，３，８が存在することから、ステップＳ４０の判定が満たされて（Ｓ４０：ＹＥＳ）、ステップＳ５０に移る。
【００５４】
ステップＳ５０では、ＣＰＵ１２は、特定の数値条件を満たす、該当する印字数字（すなわち、上記の例では数字「２」「３」「８」）のみを赤色とし、それ以外の部分（上記の例では「Ｎｏ．」と数字「１」「４」「５」「６」「７」「９」「１０」）を黒色とする、印字データを生成する。その後、後述のステップＳ７０に移る。
【００５５】
一方、上記ステップＳ４０において、上記ステップＳ２０で取得した態様でインクリメントされる印字数字の中に、上記ステップＳ３０で取得した特定の数値条件を満たす印字数字がなければステップＳ４０の判定が満たされず（Ｓ４０：ＮＯ）、ステップＳ６０に移る。ステップＳ６０では、ＣＰＵ１２は、全ての印字オブジェクトの全領域を黒色とするための印字データを生成する。ステップＳ６０が終了すると、ステップＳ７０に移る。
【００５６】
ステップＳ７０では、ＣＰＵ１２は、上記ステップＳ５０又は上記ステップＳ６０で生成した印字データを、上記通信制御部１５を介しラベルプリンタ３に出力する。その後、このフローを終了する。なお、上記ステップＳ５０、ステップＳ６０、ステップＳ７０が各請求項記載のデータ出力手順に相当する。
【００５７】
＜本実施形態の効果＞
以上説明したように、本実施形態においては、ラベルプリンタ３は、複数の印字ラベルＬを作成する際、各印字ラベルＬの印字オブジェクト中の上記印字数字が操作者により指定された特定の数値条件を満たす場合に当該印字数字を赤色で印刷し、それ以外の部分を黒色で印刷する。これにより、操作者は、印字オブジェクト中の強調したい印字数字の特定の数値条件を予め入力しておく（上記の例では強調カウントボックス１２３において「２」「３」「８」を指定する）だけで、特にそれ以外の特別な操作や設定を行わなくても、所望の強調表記が施された印字ラベルＬ（上記の例では「Ｎｏ．２」のうちの「２」、「Ｎｏ．３」のうちの「３」、「Ｎｏ．８」のうちの「８」のみが赤色となった、「Ｎｏ．１」〜「Ｎｏ．１０」の１０枚の印字ラベルＬ）を得ることができる。
【００５８】
すなわち、上記強調カウントボックス１２３のような設定のない従来手法の場合、上記同様の１０枚の印字ラベルＬを得るためには、
（ａ）「Ｎｏ．１」の印字ラベルＬを黒色印刷設定で作成；
（ｂ）「Ｎｏ．２」「Ｎｏ．３」の印字ラベルＬを赤色印刷設定で作成；
（ｃ）「Ｎｏ．４」「Ｎｏ．５」「Ｎｏ．６」「Ｎｏ．７」の印字ラベルＬを黒色印刷設定で作成；
（ｄ）「Ｎｏ．８」の印字ラベルＬを赤色印刷設定で作成；
（ｅ）「Ｎｏ．９」「Ｎｏ．１０」の印字ラベルＬを黒色印刷設定で作成；
という（ａ）〜（ｅ）の５つの工程が少なくとも必要となる。
【００５９】
これに対し、本実施形態においては、上記強調カウントボックス１２３の設定をすることで、「Ｎｏ．１」〜「Ｎｏ．１０」の印字ラベルＬを一括して（一工程で）作成することができる。この結果、操作者にとって面倒な操作負担を増加させることなく、印字ラベルＬの表現の幅を容易に広げることができるので、操作者にとっての利便性を向上することができる。
【００６０】
なお、本発明は、上記実施形態に限られるものではなく、その趣旨及び技術的思想を逸脱しない範囲内で種々の変形が可能である。以下、そのような変形例を説明する。
【００６１】
（１）強調カウントで指定された印字オブジェクトの全体を赤色で印刷する場合
すなわち、上記のように強調カウントボックス１２３において「２」「３」「８」が指定された場合、図７に示すように当該指定された印字オブジェクトの「Ｎｏ．２」「Ｎｏ．３」「Ｎｏ．８」の全体（すなわち「Ｎｏ．」と「２」「３」「８」との両方）を赤色で印刷してもよい。この場合も、上記実施形態と同様の効果を得る。
【００６２】
（２）フォント種類、フォントスタイル、フォントサイズ等で強調処理する場合
すなわち、上記実施形態においては、各印字ラベルＬの印字オブジェクト中の印字数字中に、指定した数値条件を満たす印字数字があった場合に、所定の強調処理として、通常の黒色とは異なる赤色で発色するように印字データを生成した場合を例にとって説明したが、これに限られない。すなわち、当該印字数字を、他とは異なるフォント種類（明朝体・ゴシック体等）、異なるフォントスタイル（太字・斜字等）、異なるフォントサイズ（１２ｐｔ、１０ｐｔ等）、異なる装飾（下線・影付き等）、が施されるように、印字データを生成してもよい。
【００６３】
例えば、図８に示す例では、前述した強調カウントボックス１２３での「２」「３」「８」の指定に対応して、「Ｎｏ．２」の印字ラベルＬにおける数字「２」、「Ｎｏ．３」の印字ラベルＬにおける数字「３」、及び、「Ｎｏ．８」の印字ラベルＬにおける数字「８」が、例外的に、斜体かつ太字かつ大フォントサイズで印刷されている。その一方、これら３つの印字ラベルＬにおける上記数字以外の「Ｎｏ．」と、「Ｎｏ．１」「Ｎｏ．４」「Ｎｏ．５」「Ｎｏ．６」「Ｎｏ．７」「Ｎｏ．９」「Ｎｏ．１０」の印字ラベルＬの全体は、（斜体ではない）通常字体かつ（太字ではない）細字かつ（大フォントサイズでない）小フォントサイズで印刷されている。
【００６４】
本変形例においては、複数の印字ラベルＬそれぞれの作成時に、各印字ラベルＬの印字オブジェクト中の印字数字が上記特定の数値条件を満たす場合には、その印字数字を、上述したように、他の部分とは異なるフォント種類・フォントスタイル・フォントサイズ・装飾等を適用して形成することができる。これにより、上記実施形態と同様、操作者は、上記強調カウントボックス１２３の設定をするだけで、面倒な操作負担を増加させることなく印字ラベルＬの表現の幅を容易に広げることができる。この結果、操作者にとっての利便性を向上することができる。
【００６５】
（３）ナンバリング印刷とは無関係に、印字形成する文字列中の数字に対して強調表示の条件を設定する場合
すなわち、上記実施形態では、印字数字のインクリメントを伴うナンバリング印刷において、インクリメントされる印字数字に対し強調カウントボックス１２３で強調カウントを指定することで、インクリメントに対応して複数作成される（＝ナンバリング印刷により作成される）印字ラベルＬのうちの一部に対し、上記強調処理を行った。これに対し、本変形例では、上記ナンバリング印刷とは無関係に（例えばナンバリング印刷ではなく１枚の印字ラベルＬが単独で作成される場合等であっても）、テープ２０３（本変形例において第２被印字媒体に相当）に印字形成される文字列中の数字が所定の数値条件（詳細は後述）を満たす場合に、上記実施形態と同様の強調処理が行われる。以下、その詳細を図９〜図１３により説明する。上記実施形態と同等の部分には同一の符号を付し、適宜説明を省略又は簡略化する。
【００６６】
＜操作端末及びラベルプリンタの詳細＞
本変形例では、ラベルプリンタ３は、操作端末２から送信されたテンプレートＴを記憶するテンプレート記憶部２０１２を備え、テンプレートＴのテキストオブジェクトに文字列を割り当てるいわゆるテンプレート印刷を行う。本変形例における操作端末２及びラベルプリンタ３の機能的構成を、図９に示す。
【００６７】
図９において、ラベルプリンタ３（本変形例において印刷物作成装置に相当）は、図２に示したラベルプリンタ３の構成に加え、上記テンプレート記憶部２０１２（記憶手段に相当）を備えた記憶装置２０１が設けられる。すなわち、ラベルプリンタ３は、上記テープロールホルダ部２１０と、上記搬送装置２０９（本変形例において第２搬送手段に相当）と、上記サーマルヘッド２０５（本変形例において第２印字手段に相当）と、上記カッタ２０７と、上記制御回路２０２（制御手段に相当）と、上記操作部２０６と、上記表示部２１１と、上記通信制御部２０８と、各種情報を記憶する上記記憶装置２０１と、を有する。
【００６８】
制御回路２０２は、上記実施形態と同様、図示しないＲＡＭの一時記憶機能を利用しつつ図示しないＲＯＭ又は記憶装置２０１に予め記憶されたプログラム（後述の図１２、図１３のフローチャートの各手順を実行する制御プログラムを含む）に従って信号処理を行うことで、ラベルプリンタ３全体の制御を行う。また、ラベルプリンタ３には、操作端末２の記憶装置１６に収納されているテンプレートＴ（後述の図１０参照）が、例えば予め送信され、上記テンプレート記憶部２０１２に記憶される。テンプレートＴは、操作端末２で作成した文字列等の印字オブジェクトを割り付けるために使用される。
【００６９】
＜テンプレート＞
図１０に、上記テンプレートＴの一例を示す。図１０において、テンプレートＴは、操作者が操作端末２で作成した（又は適宜の操作で操作端末２により外部から取得した）、文字列を含む少なくとも１つの印字オブジェクトを所定の態様で割り付けるためのテンプレートである。この例のテンプレートＴでは、３つの印字オブジェクトＦ１，Ｆ２，Ｆ３がこの順に割り付けられている。なお、印字オブジェクトは複数個に限られず１つだけ設けられていてもよいが、少なくとも１つの印字オブジェクトは、数字を含む文字列を備えたテキストオブジェクトとなっている。この例では、後述の図１１（ａ）〜（ｃ）に示すように、印字オブジェクトＦ２が、数字を含む文字列を備えたテキストオブジェクトであり、印字オブジェクトＦ１が、文字列を備えたテキストオブジェクトであり、印字オブジェクトＦ３が、バーコードオブジェクトとなっている。
【００７０】
上記テンプレートＴに割り付けられた上記印字オブジェクトＦ１，Ｆ２，Ｆ３に対し、操作者は操作部１４の操作により所望の文字列を割り当てることができる。すなわち、操作者は、操作部１４の適宜の操作により上記ラベルプリンタ３のテンプレート記憶部２０１２に記憶されたテンプレートＴを読み出して上記表示部１７の適宜の画面に表示させ、さらに操作部１４の適宜の操作により各印字オブジェクトＦ１，Ｆ２，Ｆ３に文字列を入力することで、各印字オブジェクトへの文字列割り当てを行う。その後、操作部１４の適宜の操作による印刷指示（ラベルプリンタ３の操作部２０６での印刷指示でもよい）を行うことで、ラベルプリンタ３が上記割り当てられた文字列を含む印字データを生成する。そして、搬送装置２０９及びサーマルヘッド２０５等が連携して制御され、上記文字列等が印字形成された対応する１つの印字ラベルＬが作成（印刷）される。
【００７１】
＜印字ラベルの作成例＞
図１１（ａ）は、上記のようにして作成された印字ラベルＬの一例を示しており、例えば値引き表記の値札として使用される例である。図示の例では、テンプレートＴの上記印字オブジェクトＦ１に、値引きを表す「ＰＲＩＣＥ  ＤＯＷＮ」の文字列ｆ１が割り当てられ、上記印字オブジェクトＦ２に、値引率を表す「１０％  ＯＦＦ」の文字列ｆ２が割り当てられ、印字オブジェクトＦ３に、上記文字列「ＰＲＩＣＥ  ＤＯＷＮ」「１０％  ＯＦＦ」に対応して生成されたバーコード画像ｆ３が割り当てられることで、対応する１つの印字ラベルＬ１（本変形例において第２印刷物に相当）が生成されている（印刷色については後述）。
【００７２】
図１１（ｂ）は、作成された印字ラベルＬの別の例を示している。図示の例では、上記印字オブジェクトＦ２に、値引率を表す「２０％  ＯＦＦ」の文字列ｆ２が割り当てられて１つの印字ラベルＬ２（本変形例において第２印刷物に相当）が生成されている（印刷色については後述）。
【００７３】
図１１（ｃ）は、作成された印字ラベルＬのさらに別の例を示している。図示の例では、上記印字オブジェクトＦ２に、値引率を表す「７０％  ＯＦＦ」の文字列ｆ２が割り当てられて印字ラベルＬ３（本変形例において第２印刷物に相当）が生成されている（印刷色については後述）。
【００７４】
＜本変形例の特徴＞
ここで、上記のようにして印字ラベルＬ中の文字列に数字が含まれる場合に、上記実施形態と同様、その数字が特定の値であったり特定の範囲に含まれる場合に限り、当該数字のみを他と区別して強調したい、というニーズがあり得る。一例としては、上記図１１（ａ）〜（ｃ）の文字列ｆ２の「○○％  ＯＦＦ」の値引き表記において、上記○○の数字があるしきい値（例えば５０）以上のときに上記強調を行いたい、等がある。
【００７５】
そこで、本変形例においては、操作者は、上記操作部１４を使用しての文字列の入力時に（又はそれよりも前のタイミングや後のタイイングでもよい）、上記操作部１４（又は上記操作部２０６）により、作成される印字ラベルＬにおいて強調する文字列の、特定の数値条件（上記の例では５０以上であること）を指示入力する。すると、ラベルプリンタ３の上記制御回路２０２は、上記のようにして割り当てられ形成される文字列（上記の例では印字オブジェクトＦ２に割り当てられる文字列）に、上記特定の数値条件を満たす数字（上記の例では５０以上の数字）が含まれているか否かを判定する。そして当該特定の数値条件を満たす数字が含まれる場合に、印字形成されるその数字に対し、所定の強調処理が施される。
【００７６】
上記図１１（ａ）、図１１（ｂ）、図１１（ｃ）に示した各印字ラベルＬ１，Ｌ２，Ｌ３では、上記判定結果に対応し強調処理の有無が分かれている。なお、この例では、上記実施形態と同様、強調処理は赤色（第２色の一例）による印刷実行であり、強調処理がなされる部分以外は、黒色（第１色の一例）により印刷が実行される。
【００７７】
すなわち、図１１（ａ）の上記印字ラベルＬ１は、文字列ｆ２が「１０％  ＯＦＦ」であり、文字列中の数字「１０」が上記強調表示のしきい値（＝５０）未満である。この結果、印字ラベルＬ１では、「１０％  ＯＦＦ」の文字列ｆ２が、「ＰＲＩＣＥ  ＤＯＷＮ」の文字列ｆ１及びバーコード画像ｆ３とともに、黒色で印刷されている。
【００７８】
図１１（ｂ）の上記印字ラベルＬ２は、文字列ｆ２が「２０％  ＯＦＦ」であり、上記同様、文字列中の数字「２０」が強調表示のしきい値（＝５０）未満である。この結果、印字ラベルＬ２では、「２０％  ＯＦＦ」の文字列ｆ２が、「ＰＲＩＣＥ  ＤＯＷＮ」の文字列ｆ１及びバーコード画像ｆ３とともに、黒色で印刷されている。
【００７９】
図１１（ｃ）の上記印字ラベルＬ３は、文字列ｆ２が「７０％  ＯＦＦ」であり、文字列中の数字「７０」が強調表示のしきい値（＝５０）以上である。これにより、印字ラベルＬ３では、「７０％  ＯＦＦ」の文字列ｆ２中の数字７０のみ（上記強調処理として）例外的に赤色で印刷される。それ以外の、「７０％  ＯＦＦ」の文字列ｆ２の「％  ＯＦＦ」、「ＰＲＩＣＥ  ＤＯＷＮ」の文字列ｆ１、及び、バーコード画像ｆ３は、通常通りそれぞれ黒色で印刷されている。
【００８０】
＜制御手順＞
次に、上記手法を実現するためにラベルプリンタ３の上記制御回路２０２が実行する制御手順を、図１２を用いて説明する。
【００８１】
図１２において、このフローに示す処理は、例えばラベルプリンタ３の電源がオンされることにより開始される。
【００８２】
まず、ステップＳ１１０で、制御回路２０２は、操作者により、操作部２０６を介し、操作端末２から上記テンプレートＴを受信する操作が行われたか否かを判定する。なお、この操作は操作端末２側の操作部１４から行ってもよい。例えば既にテンプレート記憶部２０１２に所望のテンプレートＴが記憶されていた等により上記操作が行われなかった場合には、ステップＳ１１０の判定は満たされず（Ｓ１１０：ＮＯ）、後述のステップＳ１２５に移る。上記操作が行われた場合には、ステップＳ１１０の判定が満たされて（Ｓ１１０：ＹＥＳ）、ステップＳ１２０に移る。
【００８３】
ステップＳ１２０では、制御回路２０２は、操作端末２から通信制御部１５を介して送信された上記テンプレートＴを、通信制御部２０８を介して受信し、記憶装置２０１のテンプレート記憶部２０１２に記憶させる。その後、ステップＳ１２５に移る。
【００８４】
ステップＳ１２５では、制御回路２０２は、前述したように、操作端末２からの操作に基づき上記テンプレート記憶部２０１２からテンプレートＴを読み出して上記操作端末２の表示部１７の適宜の画面に表示させるとともに、さらに当該表示に対応した操作部１４の操作による、テンプレートＴ中の各印字オブジェクトＦ１，Ｆ２への文字列入力（すなわち文字列割り当て）を受け付け、その受付結果（＝割り当て内容。すなわち割り当て終了後のテンプレートＴの内容）を適宜の箇所（例えば内部に備えられたメモリ）に記憶する。その後、ステップＳ１２７に移る。
【００８５】
ステップＳ１２７では、制御回路２０２は、前述したように、操作端末２の操作部１４の操作（又は操作部２０６の操作）による指示入力に対応して、作成される印字ラベルＬにおいて強調する文字列の上記特定の数値条件（前述の例では５０以上）を設定し適宜の箇所（例えば内部に備えられたメモリ）に記憶する。その後、ステップＳ１３０に移る。なお、ステップＳ１２７を実行する制御回路２０２が、各請求項記載の条件設定手段として機能する。
【００８６】
ステップＳ１３０では、制御回路２０２は、操作端末２から通信制御部１５を介して送信された、前述の印刷指示に対応する印刷指示信号を、通信制御部２０８を介して受信したか否かを判定する。なお、印刷指示はラベルプリンタ３の操作部２０６で行ってもよい。印刷指示信号を受信していない場合には、ステップＳ１３０の判定は満たされず（Ｓ１３０：ＮＯ）、上記ステップＳ１１０に戻り同様の手順を繰り返す。一方、印刷指示信号を受信した場合には、ステップＳ１３０の判定が満たされて（Ｓ１３０：ＹＥＳ）、ステップＳ１４０に移る。
【００８７】
ステップＳ１４０では、制御回路２０２は、上記ステップＳ１２５で記憶した割り当て結果に基づき、印字ラベルＬ中に形成される印字オブジェクト（この例では印字オブジェクトＦ１，Ｆ２，Ｆ３）の文字列中に上記ステップＳ１２７で設定した特定の数値条件（上記の例では強調表示のしきい値である５０以上）を満たす数字が含まれているか否かを判定する。上記文字列中に上記特定の数値条件を満たす数字が含まれている場合（上記の例では図１１（ｃ）に示す印字ラベルＬ３が作成される場合）はステップＳ１４０の判定が満たされ（Ｓ１４０：ＹＥＳ）、ステップＳ１５０に移る。なお、ステップＳ１４０を実行する制御回路２０２が、各請求項記載の判定手段として機能する。
【００８８】
ステップＳ１５０では、制御回路２０２は、上記特定の数値条件を満たす数字（上記印字ラベルＬ３における「７０％  ＯＦＦ」の文字列ｆ２の「７０」）の印字形成色を赤色に設定し、それ以外の文字列、すなわち「７０％  ＯＦＦ」の文字列ｆ２の「％  ＯＦＦ」、「ＰＲＩＣＥ  ＤＯＷＮ」の文字列ｆ１、バーコード画像ｆ３」の印字形成色を黒色に設定する。その後、ステップＳ１６０に移る。
【００８９】
ステップＳ１６０では、制御回路２０２は、上記ステップＳ１２５での割り当て結果に、上記ステップＳ１５０での色設定を加味した（＝加熱温度要素込みの）印字データを生成する。その後、後述のステップＳ２００に移る。
【００９０】
一方、上記ステップＳ１４０において、上記文字列中に上記特定の数値条件を満たす数字が含まれていない場合（上記の例では図１１（ａ）に示す印字ラベルＬ１や図１１（ｂ）に示す印字ラベルＬ２が作成される場合）はステップＳ１４０の判定が満たされず（Ｓ１４０：ＮＯ）、ステップＳ１７０に移る。ステップＳ１７０では、制御回路２０２は、全印字オブジェクトの全領域の印字形成色を黒色に設定する。その後、ステップＳ１８０に移る。
【００９１】
ステップＳ１８０では、制御回路２０２は、上記ステップＳ１２５での割り当て結果に、上記ステップＳ１７０での色設定を加味した（＝加熱温度要素込みの）印字データを生成する。その後、ステップＳ２００に移る。
【００９２】
ステップＳ２００では、制御回路２０２は、上記ステップＳ１６０又はステップＳ１８０で生成された印字データを用いて、対応する１つの印字ラベルＬを作成するように、搬送装置２０９及びサーマルヘッド２０５等を連携して制御する、ラベル作成処理（詳細は後述）を実行する。これにより、このフローに示す処理が終了する。なお、上記ステップＳ１５０、ステップＳ１６０、ステップＳ１７０、ステップＳ１８０、及びステップＳ２００を実行する制御回路２０２が各請求項記載の制御手段として機能する。
【００９３】
上記ステップＳ２００のラベル作成処理の詳細手順を図１３に示す。図１３において、まずステップＳ２１０で、制御回路２０２は、搬送装置２０９に制御信号を出力し、テープ２０３の搬送を開始させる。
【００９４】
その後、ステップＳ２２０で、制御回路２０２は、テープ２０３の搬送方向位置が所定の印字開始位置に達したか否かを公知の手法で判定する。印字開始位置に達するまでは、ステップＳ２２０の判定が満たされず（Ｓ２２０：ＮＯ）、上記ステップＳ２１０に戻り同様の手順を繰り返す。印字開始位置に達したら、ステップＳ２２０の判定が満たされ（Ｓ２２０：ＹＥＳ）、ステップＳ２３０に移る。
【００９５】
ステップＳ２３０では、制御回路２０２は、サーマルヘッド２０５に制御信号を出力し、テープ２０３への、上記ステップＳ１６０又はステップＳ１８０で生成された印字データを用いた印字を開始させる。その後、ステップＳ２４０に移る。
【００９６】
ステップＳ２４０では、制御回路２０２は、テープ２０３の搬送方向位置が所定の印字終了位置に達したか否かを公知の手法で判定する。印字終了位置に達するまでは、ステップＳ２４０の判定は満たされず（Ｓ２４０：ＮＯ）、ループ待機する。印字終了位置に達したら、ステップＳ２４０の判定が満たされ（Ｓ２４０：ＹＥＳ）、ステップＳ２５０に移る。
【００９７】
ステップＳ２５０では、制御回路２０２は、サーマルヘッド２０５に制御信号を出力し、テープ２０３への印字を終了させる。ステップＳ２５０が終了すると、ステップＳ２６０に移る。
【００９８】
ステップＳ２６０では、制御回路２０２は、テープ２０３の搬送方向位置がテープ切断位置に達したか否かを公知の手法で判定する。テープ切断位置に達するまでは、ステップＳ２６０の判定は満たされず（Ｓ２６０：ＮＯ）、ループ待機する。テープ切断位置に到達したら、ステップＳ２６０の判定が満たされ（Ｓ２６０：ＹＥＳ）、ステップＳ２７０に移る。
【００９９】
ステップＳ２７０では、制御回路２０２は、搬送装置２０９に制御信号を出力し、テープ２０３の搬送を停止させる。ステップＳ２７０が終了すると、ステップＳ２８０に移る。
【０１００】
ステップＳ２８０では、制御回路２０２は、カッタ２０７に制御信号を出力し、印字の終了したテープ２０３を切断させる。これにより、上記ステップＳ１６０又はステップＳ１８０で生成した印字データに対応した印字がなされた印字ラベルＬが生成される。これによって、このルーチンに示す処理が終了し、図１２に戻って、図１２のフローが終了する。
【０１０１】
＜本変形例の効果＞
以上説明したように、本変形例のラベルプリンタ３は、テンプレートＴの印字オブジェクトＦ１，Ｆ２，Ｆ３に文字列等を割り当てるいわゆるテンプレート印刷が行われ、対応する印字ラベルＬが作成される。そしてこのとき、上記テンプレートＴに割り当てられる文字列に、操作者により指定された特定の数値条件（上記の例では５０以上）を満たす数字が含まれていた場合には、その数字が強調表示の赤色で印刷され、それ以外は黒色で印刷される（ステップＳ１５０、ステップＳ１６０，ステップＳ１７０、ステップＳ１８０参照）。これにより、印字オブジェクト中の強調したい印字数字の上記特定の数値条件を予め設定しておくだけで、上記実施形態と同様、（特にそれ以外の特別な操作や設定を行わなくても）強調すべき印字数字のみが強調表示の赤色で印刷された印字ラベルＬを作成することができる（図１１（ａ）〜（ｃ）の印字ラベルＬ１，Ｌ２，Ｌ３参照）。これにより、印字ラベルＬの表現の幅を容易に広げることができるので、操作者にとっての利便性を向上することができる。
【０１０２】
なお、本変形例では、各印字ラベルＬのテキストオブジェクト中の数字中に、上記特定の数値条件を満たす数字があった場合に、所定の強調処理として、通常の黒色とは異なる赤色で発色するように印字データを生成した場合を例にとって説明したが、これに限られない。すなわち、上記変形例（２）と同様、当該数字を、他とは異なるフォント種類（明朝体・ゴシック体等）、異なるフォントスタイル（太字・斜字等）、異なるフォントサイズ、異なる装飾（下線・影付き等）、が施されるように、印字データを生成してもよい。
【０１０３】
（４）その他
以上において、図２、図９中に示す矢印は、信号の流れの一例を示すものであり、信号の流れ方向を限定するものではない。
【０１０４】
また、図６、図１２、図１３に示すフローチャートは、本発明を図示する手順に限定するものではなく、発明の趣旨及び技術的思想を逸脱しない範囲内で手順の追加・削除又は順番の変更等をしてもよい。
【０１０５】
また、以上既に述べた以外にも、上記実施形態や各変形例による手法を適宜組み合わせて利用してもよい。
【０１０６】
その他、一々例示はしないが、本発明は、その趣旨を逸脱しない範囲内において、種々の変更が加えられて実施されるものである。
【符号の説明】
【０１０７】
２                操作端末
３                ラベルプリンタ（印刷装置、印刷物作成装置）
２０２            制御回路
２０３            テープ（第１被印字媒体、第２被印字媒体）
２０５            サーマルヘッド（第１印字手段、第２印字手段）
２０６            操作部
２０９            搬送装置（第１搬送手段、第２搬送手段）
２０１２          テンプレート記憶部（記憶手段）
Ｌ                印字ラベル（第１印刷物、第２印刷物）
【図１】
2018089878.tif 000003
【図２】
2018089878.tif 000004
【図３】
2018089878.tif 000005
【図４】
2018089878.tif 000006
【図５】
2018089878.tif 000007
【図６】
2018089878.tif 000008
【図７】
2018089878.tif 000009
【図８】
2018089878.tif 000010
【図９】
2018089878.tif 000011
【図１０】
2018089878.tif 000012
【図１１】
2018089878.tif 000013
【図１２】
2018089878.tif 000014
【図１３】
2018089878.tif 000015